(57)【要約】      （修正有）【課題】表示パネルの取り付け、取り外しが容易に見栄え良く行え、落書きの除去が行える表示パネル装置を提供する。【解決手段】表面側を表示面とする表示パネル２と、表示パネル２が嵌め込み状態に装着される取り付けパネル３とからなり、表示パネル２が取り付けパネル３に取り外し可能に装着され、さらに、表示パネル２の表面に落書き除去機能を持つフッ素系樹脂層が付されている。表示パネル２の裏面の４隅には面ファスナー１０のそれぞれが取り付けられている。また、取り付けパネル３は表示パネル２の取り付け用の嵌め込み凹部２０を備え、その底面の４隅には取り付け穴２１のそれぞれが設けられ、さらに面ファスナー２２のそれぞれが設けられている。【選択図】図２
0003192117.tif 000002
【実用新案登録請求の範囲】
【請求項１】
表面側を表示面とする表示パネルと、前記表示パネルが嵌め込み状態に装着される取り付けパネルとからなり、
前記表示パネルが前記取り付けパネルに取り外し可能に装着されることを特徴とする表示パネル装置。
【請求項２】
前記表示パネルが、パネル基体表面に印刷表示フィルムが貼り付けられて構成されている請求項１記載の表示パネル装置。
【請求項３】
前記パネル基体が、プラスチックプレートの両面にアルミ層を備える構成である請求項２記載の表示パネル装置。
【請求項４】
前記印刷表示フィルムの周縁部が、前記パネル基体の周縁端面部を覆う請求項２または３記載の表示パネル装置。
【請求項５】
前記表示パネルの表面に、落書き除去機能を持つフッ素系樹脂層が付されている請求項１、２、３または４記載の表示パネル装置。
【考案の詳細な説明】
【技術分野】
【０００１】  この考案は、駅等において使用される表示パネル装置に関する。
【背景技術】
【０００２】  駅においては、運賃や発車時刻等を表示する表示パネルが用いられており、表示パネルは、例えば、プラスチックプレート上に表示内容が塗布印刷されて構成されていて、壁面等にネジなどにより取り付けられて使用されている。
【考案の概要】
【考案が解決しようとする課題】
【０００３】  上記の運賃や発車時刻は変更される場合があり、その際には表示パネルは取り外されて表示内容が変更されたものが取り付け使用される。したがって従来の表示パネルの場合、そのような取り外しや取り付けに手間がかかるとともに、常に見栄え良く取り付けることも難しかった。
【課題を解決するための手段】
【０００４】  この考案は上記の事情に鑑みて行ったもので、表示パネルの取り付け、取り外しが容易に見栄え良く行える表示パネル装置を提供することを目的とする。【０００５】  この考案は、表面側を表示面とする表示パネルと、前記表示パネルが嵌め込み状態に装着される取り付けパネルとからなり、前記表示パネルが前記取り付けパネルに取り外し可能に装着されることを特徴とする表示パネル装置を提供する。【０００６】  上記構成によれば、表示パネルが取り付けパネルに取り外し可能に取り付けられているので、表示パネルの表示形態に変更がある場合には表示パネルを取り外し取り換えることでその変更が容易に行える。表示パネルは取り付けパネルに嵌め込み状態に装着されることで安定して取り付けられる。表示パネルの取り付けパネルへの取り外し可能構成としては、面ファスナー構造や粘着面構造が採用される。表示パネルと取り付けパネルとは、プラスチック材、金属材、木質材等適宜の材料で構成される。【０００７】  さらに、表示パネルが、パネル基体表面に印刷表示フィルムが貼り付けられて構成されることで、表示形態に変更がある場合には、表示パネルは印刷表示フィルムを取り換えることでパネル基体をそのままとして使用できる。【０００８】  さらに、パネル基体は、プラスチックプレートの両面にアルミ層を備える構成とされることで、剛性を持って撓みにくいとともに、表面の平滑性に優れていて印刷表示フィルムの貼り付けが面一になされる。【０００９】  さらに、印刷表示フィルムが、その周縁部がパネル基体の周縁端面部を覆う構成とされることで外れにくく、パネル基体の周縁端面部は見栄えの良いものとなる。【００１０】  さらに、表示パネルは、表面に落書き除去機能を持つフッ素系樹脂層が付されている構成とされることで、落書きがなされても拭き取ることで容易に除去されて見栄えの良い状態に維持される。
【考案の効果】
【００１１】  この考案によれば、表示パネルの取り付け、取り外しが容易に見栄え良く行え、駅等において好適に使用される表示パネル装置が得られる。
【図面の簡単な説明】
【００１２】
【図１】  この考案の表示パネル装置の実施形態の斜視図
【図２】  この考案の表示パネル装置の実施形態の表示パネル取り外し時の斜視図
【図３】  この考案の表示パネル装置の実施形態の表示パネルの分解斜視図
【図４】  この考案の表示パネル装置の実施形態の表示パネルの部分拡大断面図
【考案の実施形態】
【００１３】  図１はこの考案の表示パネル装置の実施形態の斜視図、図２は同表示パネルの取り外し時の斜視図である。
【００１４】  表示パネル装置１は長方形状で、表示パネル２と、表示パネル２が嵌め込み状態に装着される取り付けパネル３とから構成される。
【００１５】  表示パネル２は、図３、図４に示すように、パネル基体５の表面全体に印刷表示フィルム６とオーバーコートフィルム７とが積層状態に付設されて構成されている。パネル基体５としてはプラスチックプレート３０の両面にアルミ層３１を持つアルミ樹脂複合板を用いている。表示パネル２の裏面の４隅には面ファスナー１０のそれぞれが取り付けられている。
【００１６】  上記印刷表示フィルム６は半透明のフィルム９面に文字や線等の各種の表示印刷層１０と点字印刷層１１とが印刷により塗布形成されており、上記オーバーコートフィルム７は透明のフィルム１３表面の全体に落書き除去機能を持つ透明のフッ素系樹脂層１４が塗布形成されて構成されている。表示印刷層１０と点字印刷層１１とはともに「駅名」と「運賃」等からなる運賃表の表示形態を備えている。印刷表示フィルム６とオーバーコートフィルム７とは同形でパネル基体５より縦横寸法がともに大きく、これにより、フィルム６、７は重ね合わされた状態においてパネル基体５の周縁端面部１５を覆うように装着され、パネル基体５の裏面側で貼り付けられて取り付けられる。
【００１７】  取り付けパネル３は表示パネル２の取り付け用の嵌め込み凹部２０を備え、その底面の４隅には取り付け穴２１のそれぞれが設けられ、さらに面ファスナー２２のそれぞれが設けられている。
【００１８】  表示パネル装置１は、取り付けパネル３が壁面等に取り付け穴２１それぞれによりネジ固定されて取り付けられ、その嵌め込み凹部２０に表示パネル２が嵌め込まれて装着される。その際には表示パネル２と取り付けパネル３との面ファスナー１０、２２のそれぞれが互いに接合されて表示パネル２は安定状態に固定される。
【００１９】  上記構成の表示パネル装置１は、表示パネル２が取り付けパネル３に嵌め込み状態に装着されることで安定して取り付けられる。また、表示パネル２が取り付けパネル３に面ファスナー１０、２２それぞれで取り外し可能に取り付けられているので、表示パネル２の運賃表の表示形態に変更がある場合には表示パネル２を取り外し取り換えることでその変更が容易に行える。その際、表示パネル２は印刷表示フィルム６とオーバーコートフィルム７とを取り換えることでパネル基体５をそのままとして使用できる。
【００２０】  表示パネル２に使用されるパネル基体５は、プラスチックプレート３０の両面にアルミ層３１を持つアルミ樹脂複合板であることで、剛性を持って撓みにくいとともに、表面の平滑性に優れていて印刷表示フィルム６の貼り付けが面一になされる。また、表示パネル２の印刷表示フィルム６の表示印刷層１０と点字印刷層１１とはオーバーコートフィルム７で覆われていることで保護されて汚れたり損傷したりすることがないとともに、オーバーコートフィルム７はフィルム１３表面の全体に落書き除去機能を持つフッ素系樹脂層１４が塗布形成されて構成されていることで、落書きがなされても拭き取ることで容易に除去される。さらに、それぞれのフィルム６、７は重ね合わされた状態においてパネル基体５の周縁端面部１５を覆うように装着されているので外れにくいとともに、パネル基体５の周縁端面部１５は見栄えの良いものとなっている。このような構成によって、表示パネル２は安定した形状で耐久性に優れ、見栄えの良い状態に維持されるようになっている。
【符号の説明】
【００２１】  １    表示パネル装置
２    表示パネル
３    取り付けパネル
１４  フッ素系樹脂層
【図１】
0003192117.tif 000003
【図２】
0003192117.tif 000004
【図３】
0003192117.tif 000005
【図４】
0003192117.tif 000006